(57)【要約】      （修正有）【課題】携帯電話機やスマートフォン等の液晶画面やタッチパネルを保護し又はテレビやエアコンのリモコンをシュリンク包装するものであり、特に抗菌処理をしていないフィルム原反から液晶画面貼着用又はリモコンのシュリンク包装用にカットした後のビニールフィルムを抗菌処理して目的の個所に貼着し、又は目的物を丸ごとシュリンク包装できる電子機器類の保護フィルムを提供する。【解決手段】裏面に剥離可能な接着剤加工を施してロール巻きしてある合成樹脂フィルムを所定の長さに引き出してカットし、当該接着面と反対側の表面に抗菌材料をスプレーガンの吹付けにより抗菌加工をして保護フィルムとし、貼着しようとする電子機器の液晶画面または液晶画面を含む貼着面の大きさに合わせたサイズにカットする。【選択図】図５
0003179668.tif 000002
【実用新案登録請求の範囲】
【請求項１】
裏面に剥離可能な面接着面を施してロール巻きしてある合成樹脂フィルム(1)を所定の長さに引き出してカットし、当該接着面と反対側の表面に抗菌材料をスプレーガン(9)の吹付けにより抗菌加工をして保護フィルム(6)とし、貼着しようとする電子機器の液晶画面または液晶画面を含む貼着面の大きさに合わせたサイズにカットすることを特徴とする電子機器類の保護フィルム。
【請求項２】
ロール巻きしてある加熱収縮性の合成樹脂フィルム(1′)を所定の長さに引き出してカットし、当該フィルムの表裏面に抗菌材料をスプレーガン(9)の吹付けにより抗菌加工をして保護フィルム(6′)とし、包装しようとするリモコン(5)を丸ごとまたは一部を包装できる大きさに合わせたサイズにカットすることを特徴とする電子機器類の保護フィルム。
【考案の詳細な説明】
【技術分野】
【０００１】
本考案は電子機器類の保護用フィルムに関するもので、携帯電話機やスマートフォン等の液晶画面を保護し又はテレビのリモコンをシュリンク包装するサイズにカットしたフィルムに抗菌加工をするものであり、特に抗菌処理をしていないフィルム原反から貼着用またはシュリンク包装用に超長尺のロール巻きした原反フィルムを所定の長さにカットした後のフィルムを抗菌処理して目的の貼着個所に合わせたサイズにカットし、又は当該電子機器類の保護用ビニールフィルムで丸ごと包装できるサイズにカットしたものである。
【先行技術文献】
【特許文献】
【０００２】
【特許文献１】実開平  ２−１４６１３８号公報
【特許文献２】特開２００９−１４３８４１号公報
【特許文献３】実用新案登録第３０３２７９７号公報
【特許文献４】実用新案登録第３０３８８５７号公報
【特許文献５】実用新案登録第３０４１９９７号公報
【考案の概要】
【考案が解決しようとする課題】
【０００３】
一般に、この種の電子機器類の保護用ビニールフィルム（以下、「シート」を含む）に抗菌処理することは周知である。そして、そのフィルムに抗菌処理をするのは、フィルム製造時点で原料に練り込む（包含）ことが通常であり（特許文献１）、又は原反製造時にフィルム表面に抗菌材料の皮膜を成膜している（特許文献２）。そして、抗菌加工された被覆シートを携帯電話のスピーカーやテンキーをはじめとする操作ボタンを除いた当該部位に貼着し（特許文献３）、抗菌処理されている合成樹脂フィルムを用いたシュリンクパック材で携帯電話を保護するものであるが、これらのフィルムはいずれもフィルム原反製造時に抗菌加工を施しているものであるから、各通信機器に使用する量が少ないときでも、大量のフィルム原反を購入しなければならず、少数需要に応じて加工する業者にとって不経済である。
【課題を解決するための手段】
【０００４】
そこで、本考案は従来の課題を解決するために、本考案の第１は、電子機器類（リモートコントローラ「略称：リモコン」等の操作機器類を含む）の保護用フィルムにおいて、裏面に剥離可能な接着面（シリコン層：一般に「液晶保護プロテクター」とも呼ばれている。）を有してロール巻きしてあるビニールフィルムを所定の長さに引き出してカットし、当該接着面と反対側の表面に抗菌材料をスプレーガンの吹付けにより抗菌加工をして保護シートとし、貼着しようとする電子機器の液晶画面または液晶画面を含む貼着面の大きさに合わせたサイズにカットするようにしたものである。
【０００５】
本考案の第２は、電子機器類の保護フィルムにおいて、ロール巻きしてある加熱収縮性のビニールフィルムを所定の長さに引き出してカットし、当該フィルムの表裏面に抗菌材料をスプレーガンの吹付けにより抗菌加工をして保護フィルムとし、包装しようとするテレビやエアコンのリモコンを丸ごとまたは一部を包装できる大きさに合わせたサイズにカットするようにしたものである。
【考案の効果】
【０００６】
本考案は上記の構成であるから、次のような効果がある。すなわち、携帯電話やスマートトフォンの表面に付着した菌の増殖を防ぐ抗菌加工を施したビニールフィルムを必要台数だけカットして貼着するだけで済み、抗菌加工するために大量の原反を購入する必要がなく簡単容易で得ることができると共に、コストの低減が図れる。
【０００７】
また、テレビやエアコン等の各種のリモコンを、その面に付着した菌の増殖を防ぐ抗菌加工を施したビニールフィルムを必要台数だけカットしてシュリンク包装するだけで済み、抗菌加工するために大量の原反を購入する必要がなく簡単容易で得ることができると共に、コストの低減が図れる。
【図面の簡単な説明】
【０００８】
【図１】本考案に係る抗菌加工したビニールフィルムを携帯電話機の液晶画面及び操作ボタンに貼着した正面図である。
【図２】抗菌加工したビニールフィルムをスマートフォンの液晶画面等のパネルに貼着した状態の正面図である。
【図３】抗菌加工したビニールフィルムでテレビのリモコンをシュリンク包装した状態の正面図である。
【図４】内面に接着面（シリコン層）を加工してロール巻きしてあるビニールフィルム、または表裏面に何も加工せずにロール巻きしてあるビニールフィルムの斜視図である。
【図５】液晶画面貼着用保護ビニールフィルムの表面（接着面と反対側の面）に抗菌加工を施している状態の斜面図である。
【図６】リモコン包装用保護ビニールフィルムの表裏面に抗菌加工を施している状態の斜面図である。
【考案を実施するための形態】
【０００９】
本考案の実施形態を説明する。第１は、あらかじめ裏面に剥離可能な接着面（シリコン層を設け、これを「液晶保護プロテクター」と呼ぶこともある。）を施したビニールフィルムの表面に抗菌加工を施す。この抗菌フィルムは、液晶画面に合わせて貼着するサイズにカットしてある。液晶画面にはほかに携帯電話、テレビ、パソコンモニター、一眼レフカメラの画像確認モニター等がある。
【００１０】
第２は、表裏面に何も処理をしていない加熱収縮性の合成樹脂製フィルムの表裏面に抗菌加工を施す。この抗菌フィルムは、テレビ用リモコンを丸ごとシュリンク包装できるサイズにカットしてある。この加熱収縮性のビニールフィルムで包装するものとして、ほかにエアコン、固定電話機の送受話器、室内照明等のリモコンがある。
【００１１】
本考案の実施例を説明する。図１は、液晶画面又は液晶画面を含む本体の表面にあらかじめ裏面に剥離可能な接着面（シリコン層）を有する抗菌フィルムを貼着した携帯電話機であり、当該抗菌ビニールフィルムは、あらかじめ所定サイズにカットした表面全体に抗菌加工を施してある。
【００１２】
図２は、液晶画面又は液晶画面を含む本体の表面にあらかじめ裏面に剥離可能な接着面（シリコン層）を有する抗菌フィルムを貼着したスマートフォンであり、当該抗菌ビニールフィルムは、あらかじめ所定サイズにカットした表面全体に抗菌加工を施してある。
【００１３】
図３は、表裏面に抗菌加工したビニールフィルムで作成した保護フィルム６′によって丸ごとシュリンク包装したテレビ用リモコンであり、当該保護フィルムは、加熱収縮によって日包装物ぴったり包装できるように、あらかじめ所定サイズにカットしたものに抗菌加工を施してある。
【００１４】
図４は、液晶画面を保護するためにあらかじめ剥離可能な接着面を加工したロール巻きしたビニールフィルム１または表裏面に何も加工していない原反をロール巻きしたビニールフィルム１′の斜視図である。
【００１５】
図５は、携帯電話機やスマートフォンの液晶画面に貼着するために裏面に接着面（シリコン層）を施してあるビニールフィルムの表面に抗菌加工を施す一例を示してある。
図６は、リモコンを丸ごとシュリンク包装するために原反フィルムの表裏面に抗菌加工を施す一例を示してある。
【実施例】
【００１６】
図１において、１は裏面に液晶画面保護用の剥離可能な接着面（シリコン層）を施してある原反をロール巻きしてあるビニールフィルム、１′は表裏面に何も加工していない原反をロール巻きしてあるビニールフィルムである。２は電子機器であり、液晶画面を有する携帯電話機やスマートフォン、パソコン、テレビ、デジタルカメラのほか、テレビ、エアコン等のリモコンも含むものである。３は液晶画面３１、操作ボタン３２等を有する携帯電話機、４は液晶画面（パネル）４１等を有するスマートフォン、５は表示画面５１、操作ボタン５２等を有するリモコン、６は携帯電話機３、スマートフォン４の液晶画面に貼着し、またはリモコン５を丸ごとシュリンク包装してなる保護フィルムである。この保護フィルム６は、図１の裏面に接着面を有する原反ビニールフィルム１の表面に、または表裏面に何も加工していない原反ビニールフィルム１′の表裏面に抗菌加工の処理がなされている。
【００１７】
図７において、７は所定の大きさにカットしてある接着面（シリコン層）を有する裏面を下に向けてビニールフィルム１を載置するための載置台、８は当該載置台または壁体とビニールフィルム１との間に介在させてある保護シートであり、ビニールフィルム１の裏面に設けられている接着面の接触面積を少なくし（図５）、また、表裏面に何も加工していないビニールフィルムの吹付け済みの抗菌加工面の接触面積を少なくする（図６）ために断面を波形に成形してあるものを使用することを可とする。
【００１８】
９は抗菌加工をするために抗菌材料を目的のビニールフィルムに吹付けて抗菌加工をするためのスプレーガン、１０は抗菌加工をする原反フィルム１′を壁体側に貼り付けるための接着テープである。
【００１９】
「具体的な作業工程」
・「液晶画面の保護フィルム」
(1)  液晶保護フィルムは、裏面１２に接着面（シリコン層）を有する原反フィルムを９００ｍｍ幅のロールフィルム１を所定の長さ（例えば、１８００ｍｍ）に引き出した後にカットする。
(2)  カットしたフィルム１を載置台７の平坦面上に外面を拡げた状態で載置する。この場合、合成樹脂フィルム裏面の接着材の貼着面を少なくするために間隔が狭い波形のシート８を当該フィルムと載置台７の平坦面の間に介在させてある。
(3)  市販のスプレーガン９で液状の抗菌材料をフィルム表面の全面に均一になるように吹付ける（塗布する）。
(4)  抗菌加工した表面の乾燥後に、使用する目的の電子機器（例えば、携帯電話機３またはスマートフォン４）の液晶画面及び必要個所に合わせて貼着できるサイズにカットする。
(5)  この表面に抗菌材料を吹付け（塗布）乾燥し、目的の液晶画面のサイズにカットした保護フィルム６を１枚または複数枚を揃えてセット商品とする。
【００２０】
「加熱収縮性フィルム」
(1)  熱収縮フィルムは、表裏面１１′・１２′に何も加工していない原反フィルム１′を９００ｍｍ幅のロールフィルムを所定の長さ（例えば、９００ｍｍ）に引き出した後にカットする。この場合、さらに、リモコンをシュリンク包装できる大きさと形状にカットしておくことを可とする。
(2)  カットしたビニールフィルム１′を壁面に接着テープ１０を使って貼り付ける。この場合、当該ビニールフィルムと壁面との間に波形シート８を介在して抗菌材料を吹き付けた面を保護する用にしてある。
(3)  市販のスプレーガン９で液状の抗菌材料をフィルム表面１′の全面に均一になるように塗布する。
(4)  フィルム表面に吹き付けた抗菌材料が乾燥した後、当該フィルムを反転して裏面を表面にして貼り付ける。
(5)  上記(3)と同じ工程で裏面となるフィルム面に抗菌材料を均一に吹き付ける。
(6)  使用する目的の電子機器を丸ごとシュリンク包装できるサイズに合わせてカットする。また、その電子機器の液晶画面や手の触れやすい部分等の一部をシュリンク包装することもできる。
(7)  このフィルム表面に抗菌材料を吹付け塗布乾燥し、目的の電子機器（例えば、テレビ用リモコン５）のサイズにカットしたフィルム１枚又は複数枚を揃えてセット商品とする。
【産業上の利用可能性】
【００２１】
本考案は、ロール巻きした超長尺の合成樹脂フィルムにあらかじめ抗菌加工を施さなくても、電化製品や各種電子機器類の液晶画面やテレビやエアコン等のリモコンその他抗菌加工を施すことが好ましい被包装物に抗菌加工をすることが手軽に得られるので、良好な衛生環境が広く普及すると共に、コストの低減が図れ、家庭電化製品や各種電子機器を具備する操作器具に適用することができる
【符号の説明】
【００２２】
１…裏面に剥離可能な接着面を有する原反ビニールフィルムのロール
１′…表裏面に何も加工をしていない原反ビニールフィルムのロール
２…通信機本体
３…携帯電話機
４…スマートフォン
５…リモコン
６…貼着用保護フィルム
６′…包装用保護フィルム
７…ビニールフィルム載置台
８…保護シート
９…スプレーガン
１０…接着テープ
【図１】
0003179668.tif 000003
【図２】
0003179668.tif 000004
【図３】
0003179668.tif 000005
【図４】
0003179668.tif 000006
【図５】
0003179668.tif 000007
【図６】
0003179668.tif 000008